(57)【要約】【課題】ＦＰＣに穴をあけずに、ＦＰＣをコネクタハウジングに簡単に固定する。【解決手段】フレキシブルプリント基板（ＦＰＣ）１が固定された第１のコネクタハウジング２と電線３が固定された第２のコネクタハウジング４とを接続してＦＰＣ１と電線３とを電気的に接続するコネクタ構造において、第１のコネクタハウジング２の挿入口１０からＦＰＣ１とともにクサビ部材８を挿入し、このクサビ部材８をスライドさせてＦＰＣ１を第１のコネクタハウジング２とクサビ部材８とで挟持してＦＰＣ１を第１のコネクタハウジング２に固定する。【選択図】図２
2007214028.tif 000002
【特許請求の範囲】
【請求項１】
フレキシブルプリント基板（ＦＰＣ）が固定された第１のコネクタハウジングと電線が固定された第２のコネクタハウジングとを接続してＦＰＣと電線とを電気的に接続するコネクタ構造において、
第１のコネクタハウジングの挿入口からＦＰＣとともにクサビ部材を挿入し、
このクサビ部材をスライドさせてＦＰＣを第１のコネクタハウジングとクサビ部材とで挟持してＦＰＣを第１のコネクタハウジングに固定することを特徴とするコネクタ構造。
【請求項２】
前記挿入口とＦＰＣとに位置決め用の突起と切欠きとを形成したことを特徴とする請求項１に記載のコネクタ構造。
【請求項３】
前記ＦＰＣとクサビ部材との間に補強板を設けたことを特徴とする請求項１又は２に記載のコネクタ構造。
【発明の詳細な説明】
【技術分野】
【０００１】
本発明は、小電流向けのフレキシブルプリント基板（ＦＰＣ）と電線を接続するコネクタの構造に関する。
【背景技術】
【０００２】
小電流向けのＦＰＣと電線を接続するコネクタ構造としては、一般的には、ＦＰＣの導体パターン（接続部）と電線に圧着した端子を直接接続する。そして、ＦＰＣとコネクタハウジングの固定は、例えば、ＦＰＣにあけた穴にコネクタハウジングの円柱突起を通すことで行っていた。また、電線に圧着した弾性端子の上下面に形成された弾性接片の間にＦＰＣの接続部を挟持している（特許文献１参照）。
【特許文献１】特開平７−２２０８２８号公報（第３頁、図２，３）
【発明の開示】
【発明が解決しようとする課題】
【０００３】
従来のように、ＦＰＣの接続部に端子を接続する前に、ＦＰＣをコネクタハウジングの所定位置に固定するが、この場合ＦＰＣに穴をあける必要があり、この穴に円柱突起を挿入するという手間がかかっていた。
【０００４】
そこで、本発明は、ＦＰＣに穴をあけずにＦＰＣをコネクタハウジングに簡単に固定できるコネクタ構造を提供することを目的とする。
【課題を解決するための手段】
【０００５】
上述の目的を達成するため、本発明は、フレキシブルプリント基板（ＦＰＣ）が固定された第１のコネクタハウジングと電線が固定された第２のコネクタハウジングとを接続してＦＰＣと電線とを電気的に接続するコネクタ構造において、第１のコネクタハウジングの挿入口からＦＰＣとともにクサビ部材を挿入し、このクサビ部材をスライドさせてＦＰＣを第１のコネクタハウジングとクサビ部材とで挟持してＦＰＣを第１のコネクタハウジングに固定するものである。
【発明の効果】
【０００６】
本発明によれば、フレキシブルプリント基板（ＦＰＣ）が固定された第１のコネクタハウジングと電線が固定された第２のコネクタハウジングとを接続してＦＰＣと電線とを電気的に接続するコネクタ構造において、第１のコネクタハウジングの挿入口からＦＰＣとともにクサビ部材を挿入し、このクサビ部材をスライドさせてＦＰＣを第１のコネクタハウジングとクサビ部材とで挟持してＦＰＣを第１のコネクタハウジングに固定するので、ＦＰＣに穴をあける必要がなくなり、また固定方法は、コネクタハウジングへＦＰＣを挿入し（切欠きで位置合わせ）、クサビ部材をスライドさせて固定するだけなので、ＦＰＣ固定の工数が削減される。
【発明を実施するための最良の形態】
【０００７】
以下に、本発明の好適な実施形態について、図面を参照にして説明する。
【０００８】
図１において、フレキシブルプリント基板（ＦＰＣ）１を取り付けた第１のコネクタハウジング２を電線３を取り付けた第２のコネクタハウジング４に挿入して電線３とＦＰＣ１とを接続するようになっている。第１のコネクタハウジング２には、第２のコネクタハウジング４のロック穴５に嵌合するロック爪６を形成してある。このロック爪６は弾性片７に形成され、この弾性片７が下方に撓んでロック爪６を押し下げた後にロック爪６をロック穴５の個所で上昇させてロック穴５に嵌め込む。ロックを解除するには、弾性片７を押し下げてロック爪６をロック穴５から外す。
【０００９】
図２は、図１の状態を裏側から見た斜視図であり、第１のコネクタハウジング２へのＦＰＣ１の固定をクサビ形状のクサビ部材８で図った状態を示す。従来のように、ＦＰＣ１に多数の穴をあけ、第１のコネクタハウジング２の内側にＦＰＣ１の穴に対応する突起を設け、この突起を穴に挿入して固定を図るものではない。
【００１０】
図３は、第１のコネクタハウジング２の縦断面であり、その一端側にＦＰＣ１とクサビ部材８とを挿入するための挿入口１０（それぞれ幅が異なる）を形成してあり、挿入口１０の下段の底面には凸部１１を設けてある。前記クサビ部材８は、一面がテーパ形状に形成されたクサビ形状をなし、前記凸部１１が嵌合する凹部９を形成してあるとともに、一端側にスライド操作させるための立上部１２を形成してある。なお、凸部１１は挿入口１０の内部側、中間部、外部側のいずれに形成してもよい。
【００１１】
図３に示すクサビ部材８の状態において、ＦＰＣ１及び補強板１３を挿入口１０から挿入し、その後、立上部１２を手前に引いて（図３矢印方向）図４に示す状態にすることでＦＰＣ１を第１のコネクタハウジング２に固定することができる。この固定状態において、凸部１１は凹部９に嵌合してクサビ部材８が簡単に押し戻されないようになっている。なお、図３及び図４において、符号７Ａは、弾性片７の下側の空隙を示し、この空隙７Ａ分だけ弾性片７は押し下げられ、撓むことができる。また、補強板１３は、ＦＰＣ１が可撓性に富んでいるため、このＦＰＣ１を硬いもので補強する機能を有する。
【００１２】
図５は、第１のコネクタハウジング２の横断面図であり、挿入口１０は上下二段あり、クサビ部材８の横幅を有する入口（下側）とＦＰＣ１の横幅を有する入口（上側）とがあり、ＦＰＣ１の挿入口１０の両側部に突起１４を形成し、これら突起１４がＦＰＣ１の切欠き１Ａに嵌まり込んでＦＰＣ１のスライドを阻止して位置決めを図る。このとき、クサビ部材８もＦＰＣ１を挟圧してＦＰＣ１の第１のコネクタハウジング２への固定を確実なものとする。
【００１３】
なお、図示しないが、電線３には従来と同様の両面接触の弾性端子が圧着され、この弾性端子の弾性接片がＦＰＣ１の接続部を挟持することにより、電線３とＦＰＣ１との電気的接続を図っている。
【図面の簡単な説明】
【００１４】
【図１】接続前の斜視図。
【図２】図１を裏面から見た斜視図。
【図３】ＦＰＣを固定する前の第１のコネクタハウジングの縦断面図。
【図４】ＦＰＣ固定状態の図３と同様の縦断面図。
【図５】第１のコネクタハウジングの横断面図。
【符号の説明】
【００１５】
１    ＦＰＣ
１Ａ  切欠き
２    第１のコネクタハウジング
３    電線
４    第２のコネクタハウジング
８    クサビ部材
１０  挿入口
１３  補強板
１４  突起
【図１】
2007214028.tif 000003
【図２】
2007214028.tif 000004
【図３】
2007214028.tif 000005
【図４】
2007214028.tif 000006
【図５】
2007214028.tif 000007